(57)【要約】【課題】連結部材の取り替えが容易な、ユニットルームのドア下枠と建築床との連結構造を提供する。【解決手段】ユニットルームのドア下枠１０と建築床２０とを、連結部材１を用いて連結させるようにした連結構造であって、連結部材１は、ドア枠連結片１ａと、建築床連結片１ｂとを備えてなり、該ドア枠連結片１ａおよび建築床連結片１ｂをして、ドア下枠１０の建築床側端部１０Ａと、建築床２０のドア下枠側端部２０ａとに着脱自在に跨設されるようにしている。【選択図】図１
2006265981.tif 000002
【特許請求の範囲】
【請求項１】
ユニットルームのドア下枠と建築床とを、連結部材を用いて連結させるようにしたユニットルームのドア下枠と建築床との連結構造であって、
上記連結部材は、ドア枠連結片と、建築床連結片とを備えてなり、該ドア枠連結片および建築床連結片をして、上記ドア下枠の建築床側端部と、上記建築床のドア下枠側端部とに着脱自在に跨設されることを特徴とする、ユニットルームのドア下枠と建築床との連結構造。
【請求項２】
請求項１において、
上記ドア枠連結片と、上記建築床連結片とは、軟質部分を介して相互に可動に結合されていることを特徴とする、ユニットルームのドア下枠と建築床との連結構造。
【請求項３】
請求項１または２において、
カバー部材をさらに備え、
このカバー部材と上記ドア枠連結片およびドア下枠の連結部分とは、相互に嵌合する構造を有しており、
このカバー部材を、上記ドア連結片およびドア下枠の連結部分に対して上方より嵌合することにより該連結部分が隠蔽されるようにしたことを特徴とする、ユニットルームのドア下枠と建築床との連結構造。
【発明の詳細な説明】
【技術分野】
【０００１】
本発明は、浴室等のユニットルームのドア下枠と建築床とを連結部材で連結するようにした連結構造に関するものである。
【背景技術】
【０００２】
従来の浴室ユニットルームでは、脱衣室側でドア下枠を建築床と取り付け固定するために、ドア下枠の建築床側端部と建築床のドア下枠側端部とを連結部材で連結している。特許文献１には、ドア下枠と建築床との連結構造が開示されている。
【０００３】
図３は、本特許文献に開示された従来のドア下枠連結部分の断面を示した図である。
【０００４】
図３に示すように、ドア下枠１０２の上段面１０２ａは、建築床１０３に固定された下額縁材１０４と、Ｌ字状の補助枠１０１の水平片１０１ａとの間に挟み込んでネジ止めされている。すなわち、３つの部材を重ね合わせて、ドア下枠１０２と建築床１０３とを連結する構造となっている。また、補助枠１０１の垂直片１０１ｂは、引き戸のガイドレールを形成している。
【特許文献１】実開平５−７８８８９号公報
【発明の開示】
【発明が解決しようとする課題】
【０００５】
ところで、上記下額縁材１０４は、美観を高めるために建築床端部に設けられたものであるが、ドア下枠１０２と建築床１０３との間に介在して、上記補助枠１０１とともに、実質的にドア下枠１０２と建築床１０３とを連結する機能も有している。
【０００６】
しかしながら、下額縁材１０４は、美観を高めるためのものであるにもかかわらず、ユニットルーム施工後に最も傷つけられやすい箇所でもあり、しかも、建築床１０３に固定されているため、施工後に傷つけられた場合などに、容易に取り替えることはできない。
【０００７】
また、２枚折りドア方式のユニットルームでは、隣接したドア下枠端部と建築床端部とを、段違い状に形成したアングル材で連結するとともに、両端部を面一に調整する方法が知られている。この方法では、アングル材の下段面（ドア枠連結片）をドア下枠端部の下方に配置させてドア下枠とネジ止着し、上段面を建築床端部の表面に配置させ、ネジ調整によりドア下枠と建築床とのレベル調整を可能としているが、アングル材のドア枠連結片がドア下枠端部の下方に配置して固定する構造であるため、施工後は、ドア下枠を取り外さない限りアングル材の交換が不可能であった。
【０００８】
本発明は、このような問題を解決すべく提案されたもので、その目的は、連結部材の取り替えを容易にできる、ユニットルームのドア下枠と建築床との連結構造を提供することにある。
【０００９】
また、ドア下枠と建築床とのレベル調整が簡単にできるようにすることも、目的に含まれる。
【課題を解決するための手段】
【００１０】
上記目的を達成するために、請求項１に記載のユニットルームのドア下枠と建築床との連結構造は、ユニットルームのドア下枠と建築床とを、連結部材を用いて連結させるようにしたユニットルームのドア下枠と建築床との連結構造であって、連結部材は、ドア枠連結片と、建築床連結片とを備えてなり、該ドア枠連結片および建築床連結片をして、ドア下枠の建築床側端部と、建築床のドア下枠側端部とに着脱自在に跨設されることを特徴としている。
【００１１】
請求項２では、ドア枠連結片と建築床連結片とが、軟質部分を介して相互に可動に結合されていることを特徴としている。
【００１２】
請求項３では、カバー部材をさらに備え、このカバー部材とドア枠連結片およびドア下枠の連結部分とは、相互に嵌合する構造を有しており、このカバー部材を、ドア連結片およびドア下枠の連結部分に対して上方より嵌合することにより該連結部分が隠蔽されるようにしたことを特徴としている。
【発明の効果】
【００１３】
請求項１〜３に記載のユニットルームのドア下枠と建築床との連結構造によれば、連結部材の着脱を可能としているため、連結部材が傷ついた場合などに、簡易に交換することができる。また、連結部材はドア下枠固定用の連結片と、建築床固定用の連結片とを備えており、ドア下枠端部と建築床端部とを並べた状態にして、上方から連結部材を連結するようにしているので、簡単に取り外しが行える。
【００１４】
特に請求項２では、連結部材はドア枠連結片と建築床連結片とを相互に可動に結合した構造であるため、建築床のレベル高さに合わせて、建築床連結片を上下に可動させて、レベル調整することができる。
【００１５】
請求項３では、ドア下枠に連結したドア枠連結片およびドア下枠の連結部分をカバー部材で隠蔽する構造となっているため、見栄えがよくなり、ドア枠連結片の損傷を防止できるとともに、連結部分への湯水、ゴミなどの進入を防止することができる。
【発明を実施するための最良の形態】
【００１６】
以下に、本発明の実施の形態を、図面とともに説明する。
【実施例１】
【００１７】
図１は、本発明のユニットルームのドア下枠と建築床との連結構造要部を示す図で、（ａ）はドア下部周辺の構造を示す縦断面図、（ｂ）は（ａ）のＸ部の拡大斜視図である。なお、この実施例は、２枚折りドアにおけるドア下枠と建築床との連結構造を示している。
【００１８】
２枚折りドア１２は、ドア下枠１０に連結されたレール１３上をスライド移動して、ドア中央で浴室Ａ側に折れて開、閉できる構造となっている。
【００１９】
脱衣室Ｂ側への出口床面には、ドア下枠１０に対して、起伏自在に装着した水止め部材１１が配置されており、さらにドア下枠１０の脱衣室Ｂ側端部には、その長手方向に沿ってＵ形部１０Ａが形成されている。なお、１１ａは水止め部材１１の起伏支点としての枢支軸部である。
【００２０】
浴室ユニットルームは、Ｕ形部１０Ａと建築床２０の浴室Ａ側端部２０ａとが隣接して並んだ状態に施工される。そして、隣接する端部１０Ａ、２０ａ同士の上方から連結部材１を跨設して連結する構造となっている。
【００２１】
この連結部材１は、金属、樹脂等の硬質素材で成形されたドア枠連結片１ａと、これと同様の硬質素材で成形された建築床連結片１ｂとを有し、両片１ａ、１ｂは、ゴム等の軟質素材の可動支軸部１ｃで、相互に可動に結合されている。
【００２２】
建築床連結片１ｂは、ネジ孔１ｂ１を設けており、建築床端部２０ａに対してネジ（不図示）止着される。また、建築床連結片１ｂの先端部には、建築床面に先端を当接させるようにした湾曲片１ｂ２が形成され、これによって、建築床連結片１ｂと建築床２０の端部２０ａとの間に空間Ｓが形成されるような構造となっている。この空間Ｓを形成させることによって、建築床連結片１ｂにクッション性を持たせている。
【００２３】
一方、ドア枠連結片１ａは、ドア下枠１０のＵ形部１０Ａに形成された空間に収容される連結基部１ａ１を有し、さらに該連結基部１ａ１には、その長手方向に沿った凹溝状の雌嵌合部１ａ２が形成され、一方、上記Ｕ形部１０Ａの内壁には、その長手方向に沿って、該雌嵌合部１ａ２に嵌合する凸条体の雄嵌合部１０Ａａが形成され、両嵌合部１ａ２、１０Ａａの嵌合によって、上記連結基部１ａ１のＵ形部１０Ａ内での安定した収容状態が維持される。
【００２４】
さらに、ドア下枠連結側では、Ｕ形部１０Ａに連結されたドア枠連結片１ａに対して、樹脂等で成形されたカバー部材２を上方より覆った構造となっている。カバー部材２をドア下枠連結部分に係合させるために、ドア枠連結片１ａには、連結基部１ａ１の上方に長手方向に沿った係合部１ａ３を設け、カバー部材２Ａには、Ｕ形部１０Ａの長手方向に形成された鉤状の折曲片１０Ａｂと係合させるための第１係合部２Ａａと、連結基部１ａ１の上記係合部１ａ３と係合させるための第２係合部２Ａｂとを設けている。
【００２５】
このカバー部材２Ａにより、ドア枠連結片１ａとその連結部分を上方より固定し、かつ隠蔽し、保護するとともに、この連結部分への湯水やゴミの進入を防止することが可能となっている。
【００２６】
以上のように、ドア下枠１０の端部１０Ａと建築床２０の端部２０ａとを並べた状態にして、その上方から、連結部材１のドア枠連結片１ａと建築床連結片１ｂとで連結するようにした構造であるため、ユニットルームの施工後でも、連結部材１はドア下枠１０を設置したことによって移動できなくなることはなく、たとえ連結部材１の表面が傷つけられても、簡単に取り外しができ、新しいものに取り替えることができる。
【００２７】
また、ドア枠連結片１ａと建築床連結片１ｂとは可動支軸部１ｃで結合されているため、建築床２０の仕上げレベル高さに合わせて、可動支軸部１ｃの弾性変形により建築床連結片１ｂを上下に可動させて、建築床２０に沿わせるようレベル調整することができる。
【実施例２】
【００２８】
図２は、本発明のユニットルームのドア下枠と建築床との連結構造の他例の要部を示す図で、（ａ）はドア下部周辺の構造を示す断面図、（ｂ）は（ａ）のＹ部の拡大斜視図である。
【００２９】
本実施例では、ドア下枠１０の脱衣室Ｂ側の端部に、その長手方向に沿った上段面部１０Ｂが形成されており、この上段面部１０Ｂと建築床２０の端部２０ａとを、連結部材１で連結する構造となっている。連結部材１の素材は図１の例と同様、両連結片１ａ、１ｂが硬質素材、可動支軸部１ｃがゴム等の軟質素材である。なお、建築床連結片１ｂと可動支軸部１ｃは、図１の例と同様であるため、説明を割愛する。
【００３０】
ドア枠連結片１ａは、ドア下枠端部１０Ｂの階段形状に係合可能な段部１ａ１１が長手方向に沿って形成されており、その段部１ａ１１には、カバー部材２Ｂの長手方向に沿って形成された雌嵌合部２Ｂａと嵌合結合できるように、雄嵌合部１ａ１２を形成している。
【００３１】
また、ドア枠連結片１ａは、適所にネジ孔１ａ１３を設けており、ドア下枠１０の端部に形成された上段面部１０Ｂに対してネジ止着して固定され、さらにその上方からカバー部材２Ｂによって保護される。
【００３２】
以上の２例では２枚折りドアに適用した連結構造を示しているが、本発明はこれには限定されず、引き戸、スイングドアなどの他の浴室ドアにも適用可能である。
【図面の簡単な説明】
【００３３】
【図１】本発明のユニットルームのドア下枠と建築床との連結構造要部を示す図で、（ａ）はドア下部周辺の構造を示す縦断面図、（ｂ）は（ａ）のＸ部の拡大斜視図である。
【図２】本発明のユニットルームのドア下枠と建築床との連結構造の他例の要部を示す図で、（ａ）はドア下部周辺の構造を示す縦断面図、（ｂ）は（ａ）のＹ部の拡大斜視図である。
【図３】従来の連結構造を示す図である。
【符号の説明】
【００３４】
１０      ドア下枠
１０Ａ      ドア下枠端部（Ｕ形部）
１０Ｂ      ドア下枠端部（上段面部）
２０      建築床
２０ａ      建築床端部
１      連結部材
１ａ      ドア枠連結片
１ｂ      建築床連結片
１ｃ      可動支軸部
２Ａ、２Ｂ      カバー部材
Ａ      浴室
Ｂ      脱衣室
【図１】
2006265981.tif 000003
【図２】
2006265981.tif 000004
【図３】
2006265981.tif 000005